(57)【特許請求の範囲】
【請求項１】
本体及び前記本体の下方に設置される回転ブロックを含み、前記回転ブロックの中には上方に開口した凹溝が形成され、前記本体の底部末端は前記凹溝の中に回転できるように設置され、前記本体の中には上方に開口した照明空間が設置され、前記照明空間の底壁の中には回転空間が設置され、前記回転空間の中には電池を回転連動させて入れ替えることができる回転フレームが回転できるように設置され、前記回転ブロックの回転は前記回転フレームを回転連動させることができ、前記回転空間の底壁の中には電気接続装置が設置され、前記電気接続装置は前記回転空間の底壁の中に形成されて上方に開口した収納溝を含み、前記収納溝の中には第一接点がスライドできるように設置され、前記電気接続装置は前記回転フレームが回転する時に前記第一接点を上下に移動連動させ、それによって前記回転フレームに置かれる電池が通電することを実現し、前記照明空間の底壁には環状に配置される複数の照明ライトが固定的に設置され、前記照明ライトは並列接続されて発光源装置を構成し、それによって照明を提供し、前記凹溝の底壁の中には上下に貫通する第一スライド穴が設置され、前記第一スライド穴の中には電気接続台がスライドできるように設置され、前記電気接続台の中には前記電池を充電できる充電装置が設置され、前記電気接続台の頂部末端は前記回転空間の底壁の中に設置される第二スライド穴の中に差し込まれ、それによって前記回転ブロックと前記本体とをロックし、前記回転ブロックと前記本体とは相対的な変位が発生して設備を停電させることを防止でき、
前記回転空間の中には第一回転軸が回転できるように設置され、前記第一回転軸の中には上下に貫通する第一糸通し穴が設置され、前記回転フレームは前記第一回転軸の外表面に固定的に設置され、前記回転フレームの内部には前記第一回転軸の左右両側に位置しかつ上下に貫通する電池倉が左右対称に設置され、前記電池は前記電池倉の中にスライドできるように設置され、前記回転空間の底壁の中にはラチェット空間が設置され、前記第一回転軸の底部末端は前記ラチェット空間の中に差し込まれ、且つ前記第一回転軸の底部末端には回転盤が固定的に設置され、前記回転盤の底壁の中には下方に開口したラチェット歯止め溝が形成され、前記ラチェット空間の底壁の中には前記回転ブロックと固定的に連結される第二回転軸が回転できるように設置され、前記第二回転軸の中には上下に貫通する第二糸通し穴が設置され、前記第二回転軸の頂部末端は前記ラチェット歯止め溝の中に差し込まれ、且つ前記第二回転軸の頂部末端には前記ラチェット歯止め溝の中設置されるラチェット歯止めと作動し合うラチェットが固定的に設置されており、
前記充電装置は前記第一スライド穴の底壁の中に形成されて下方に開口した挿入溝を含み、前記挿入溝の頂壁の中には前記挿入溝の頂壁を貫通する電気接続ロッドが設置され、前記電気接続ロッドと前記挿入溝の壁体とは電力を遮断し、前記第一スライド穴の円周壁の中には環状溝が形成され、前記環状溝の中には前記挿入溝と固定的に連結された電気接続リングがスライドできるように設置され、前記電気接続リングは前記挿入溝の内壁と通電できるように連結され、前記電気接続リングと前記環状溝の底壁との間には復帰ばねが弾性を持つように設置されており、
前記発光源装置は前記照明空間の底壁の中に設置される環状電気接続ブロックを含み、前記環状電気接続ブロックは前記照明ライトの正極と通電できるように連結され、前記環状電気接続ブロックと前記第一接点とは第一導線によって通電できるように連結され、前記回転空間の頂壁の中には左右対称の第二接点が設置され、前記第二接点は前記照明ライトの負極と通電できるように連結され、前記第一接点と右側の前記第二接点とはそれぞれ前記電池の正極と負極と通電できるように連結され、それによって前記照明ライトの通電発光を実現し、前記第二接点と前記電気接続リングとは前記第一糸通し穴と前記第二糸通し穴とを貫通する第二導線によって通電できるように連結されていることを特徴とする内部電池を入れ替えることに便利な照明装置。
【請求項２】
前記電気接続装置は前記本体の底壁の中に形成されて下方に開口したＣ型溝を含み、前記Ｃ型溝の中にはＣ型ブロックがスライドできるように設置され、前記Ｃ型ブロックと前記Ｃ型溝の底壁との間には押圧ばねが弾性を持つように設置され、前記Ｃ型ブロックの中には第二ラックが左右対称的に設置され、前記Ｃ型溝と前記収納溝との間には第三スライド穴が連通するように設置され、前記第三スライド穴の中には第一ラックがスライドできるように設置され、前記第三スライド穴の左右端壁の中には前記Ｃ型溝に連通する歯車空間が対称的に設置され、前記歯車空間の中には前記第二ラック及び前記第一ラックと噛み合う歯車が回転できるように設置されていることを特徴とする請求項１に記載の内部電池を入れ替えることに便利な照明装置。
【請求項３】
前記回転空間の底壁の中には前記第二スライド穴と連通するスライド移動溝が形成され、前記スライド移動溝の中にはスライドロッドがスライドできるように設置され、前記スライドロッドと前記スライド移動溝の底壁との間には復帰装置が弾性を持つように設置されていることを特徴とする請求項１に記載の内部電池を入れ替えることに便利な照明装置。
【請求項４】
前記回転ブロックの底壁の中には上下に貫通する抜き穴が設置され、それによって前記電池の入れ替えに便利を与えることを特徴とする請求項１に記載の内部電池を入れ替えることに便利な照明装置。
【発明の詳細な説明】
【技術分野】
【０００１】
本発明は照明設備分野に関わり、具体的には内部電池を入れ替えることに便利な照明装置である。
【背景技術】
【０００２】
人々は照明設備を使用する時、電池は電力が足りないことで照明を提供し続けなく、且つ照明する同時に電池を充電できなく、照明設備は作動を停止しなければならなく、それによって照明は中止され、また、伝統的な照明設備の本体の内部の電池は取り出しにくく、入れ替えとメンテナンスは不便であり、従って、上記の問題を改善するために内部電池を入れ替えることに便利な照明装置を設計する必要がある。
【先行技術文献】
【特許文献】
【０００３】
【特許文献１】中国特許出願公開第１０９９３１５５９号明細書
【発明の概要】
【発明が解決しようとする課題】
【０００４】
本発明の目的には内部電池を入れ替えることに便利な照明装置を提供し、既存技術にある上記欠点を解消し、設備の実用性を高める。
【課題を解決するための手段】
【０００５】
本発明はその技術問題を解決するために利用する技術プランは下記の通りである。本発明の内部電池を入れ替えることに便利な照明装置は本体及び前記本体の下方に設置される回転ブロックを含み、前記回転ブロックの中には上方に開口した凹溝が形成され、前記本体の底部末端は前記凹溝の中に回転できるように設置され、前記本体の中には上方に開口した照明空間が設置され、前記照明空間の底壁の中には回転空間が設置され、前記回転空間の中には電池を回転連動させて入れ替えることができる回転フレームが回転できるように設置され、前記回転ブロックの回転は前記回転フレームを回転連動させることができ、前記回転空間の底壁の中には電気接続装置が設置され、前記電気接続装置は前記回転空間の底壁の中に形成されて上方に開口した収納溝を含み、前記収納溝の中には第一接点がスライドできるように設置され、前記電気接続装置は前記回転フレームが回転する時に前記第一接点を上下に移動連動させ、それによって前記回転フレームに置かれる電池が通電することを実現し、前記照明空間の底壁には環状に配置される複数の照明ライトが固定的に設置され、前記照明ライトは並列接続されて発光源装置を構成し、それによって照明を提供し、前記凹溝の底壁の中には上下に貫通する第一スライド穴が設置され、前記第一スライド穴の中には電気接続台がスライドできるように設置され、前記電気接続台の中には前記電池を充電できる充電装置が設置され、前記電気接続台の頂部末端は前記回転空間の底壁の中に設置される第二スライド穴の中に差し込まれ、それによって前記回転ブロックと前記本体とをロックし、前記回転ブロックと前記本体とは相対的な変位が発生して設備を停電させることを防止する。
【０００６】
さらに、前記回転空間の中には第一回転軸が回転できるように設置され、前記第一回転軸の中には上下に貫通する第一糸通し穴が設置され、前記回転フレームは前記第一回転軸の外表面に固定的に設置され、前記回転フレームの内部には前記第一回転軸の左右両側に位置しかつ上下に貫通する電池倉が左右対称に設置され、前記電池は前記電池倉の中にスライドできるように設置され、前記回転空間の底壁の中にはラチェット空間が設置され、前記第一回転軸の底部末端は前記ラチェット空間の中に差し込まれ、且つ前記第一回転軸の底部末端には回転盤が固定的に設置され、前記回転盤の底壁の中には下方に開口したラチェット歯止め溝が形成され、前記ラチェット空間の底壁の中には前記回転ブロックと固定的に連結される第二回転軸が回転できるように設置され、前記第二回転軸の中には上下に貫通する第二糸通し穴が設置され、前記第二回転軸の頂部末端は前記ラチェット歯止め溝の中に差し込まれ、且つ前記第二回転軸の頂部末端には前記ラチェット歯止め溝の中設置されるラチェット歯止めと作動し合うラチェットが固定的に設置されている。
【０００７】
さらに、前記充電装置は前記第一スライド穴の底壁の中に形成されて下方に開口した挿入溝を含み、前記挿入溝の頂壁の中には前記挿入溝の頂壁を貫通する電気接続ロッドが設置され、前記電気接続ロッドと前記挿入溝の壁体とは電力を遮断し、前記第一スライド穴の円周壁の中には環状溝が形成され、前記環状溝の中には前記挿入溝と固定的に連結された電気接続リングがスライドできるように設置され、前記電気接続リングは前記挿入溝の内壁と通電できるように連結され、前記電気接続リングと前記環状溝の底壁との間には復帰ばねが弾性を持つように設置されている。
【０００８】
さらに、前記発光源装置は前記照明空間の底壁の中に設置される環状電気接続ブロックを含み、前記環状電気接続ブロックは前記照明ライトの正極と通電できるように連結され、前記環状電気接続ブロックと前記第一接点とは第一導線によって通電できるように連結され、前記回転空間の頂壁の中には左右対称の第二接点が設置され、前記第二接点は前記照明ライトの負極と通電できるように連結され、前記第一接点と右側の前記第二接点とはそれぞれ前記電池の正極と負極と通電できるように連結され、それによって前記照明ライトの通電発光を実現し、前記第二接点と前記電気接続リングとは前記第一糸通し穴と前記第二糸通し穴とを貫通する第二導線によって通電できるように連結されている。
【０００９】
さらに、前記電気接続装置は前記本体の底壁の中に形成されて下方に開口したＣ型溝を含み、前記Ｃ型溝の中にはＣ型ブロックがスライドできるように設置され、前記Ｃ型ブロックと前記Ｃ型溝の底壁との間には押圧ばねが弾性を持つように設置され、前記Ｃ型ブロックの中には第二ラックが左右対称的に設置され、前記Ｃ型溝と前記収納溝との間には第三スライド穴が連通するように設置され、前記第三スライド穴の中には第一ラックがスライドできるように設置され、前記第三スライド穴の左右端壁の中には前記Ｃ型溝に連通する歯車空間が対称的に設置され、前記歯車空間の中には前記第二ラック及び前記第一ラックと噛み合う歯車が回転できるように設置されている。
【００１０】
さらに、前記回転空間の底壁の中には前記第二スライド穴と連通するスライド移動溝が形成され、前記スライド移動溝の中にはスライドロッドがスライドできるように設置され、前記スライドロッドと前記スライド移動溝の底壁との間には復帰装置が弾性を持つように設置されている。
【００１１】
さらに、前記回転ブロックの底壁の中には上下に貫通する抜き穴が設置され、それによって前記電池の入れ替えに便利を与える。
【発明の効果】
【００１２】
本発明の有益な効果は：本発明の内部電池を入れ替えることに便利な照明装置は照明できると同時に、本体の内部の電池を充電することもでき、本設備の中には二つの電池を設置することで、充電電路を照明電路から分離し、電池は充電する過程に放電も同時に行うことによって電池を損害することを避け、設備は電力が足りない電池を電力がいっぱいある電池と入れ替えることに便利を与え、設備はすぐに電池を入れ替えられることを保証し、同時に設備は本体内部の電池を取り出せ、電池の入れ替えに便利であり、生産と普及にも便利を与える。
【図面の簡単な説明】
【００１３】
下記に図１〜４をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１４】
【図１】図１は本発明の内部電池を入れ替えることに便利な照明装置の全体構成概略    図
【図２】図２は図１の中のＡ―Ａの構成概略図
【図３】図３は図１の中のＢの拡大構成概略図
【図４】図４は図１の中のＣの拡大構成概略図
【発明を実施するための形態】
【００１５】
附図１〜４に記載の内部電池を入れ替えることに便利な照明装置を参照し、内部電池を入れ替えることに便利な照明装置は本体１０及び前記本体１０の下方に設置される回転ブロック２３を含み、前記回転ブロック２３の中には上方に開口した凹溝２６が形成され、前記本体１０の底部末端は前記凹溝２６の中に回転できるように設置され、前記本体１０の中には上方に開口した照明空間３７が設置され、前記照明空間３７の底壁の中には回転空間２５が設置され、前記回転空間２５の中には電池３０を回転連動させて入れ替えることができる回転フレーム４０が回転できるように設置され、前記回転ブロック２３の回転は前記回転フレーム４０を回転連動させることができ、前記回転空間２５の底壁の中には電気接続装置９９が設置され、前記電気接続装置９９は前記回転空間２５の底壁の中に形成されて上方に開口した収納溝５７を含み、前記収納溝５７の中には第一接点５８がスライドできるように設置され、前記電気接続装置９９は前記回転フレーム４０が回転する時に前記第一接点５８を上下に移動連動させ、それによって前記回転フレーム４０に置かれる電池３０が通電することを実現し、前記照明空間３７の底壁には環状に配置される複数の照明ライト３５が固定的に設置され、前記照明ライト３５は並列接続されて発光源装置９８を構成し、それによって照明を提供し、前記凹溝２６の底壁の中には上下に貫通する第一スライド穴２１が設置され、前記第一スライド穴２１の中には電気接続台１６がスライドできるように設置され、前記電気接続台１６の中には前記電池３０を充電できる充電装置９７が設置され、前記電気接続台１６の頂部末端は前記回転空間２５の底壁の中に設置される第二スライド穴２４の中に差し込まれ、それによって前記回転ブロック２３と前記本体１０とをロックし、前記回転ブロック２３と前記本体１０とは相対的な変位が発生して設備を停電させることを防止する。
【００１６】
有益なように、前記回転空間２５の中には第一回転軸２７が回転できるように設置され、前記第一回転軸２７の中には上下に貫通する第一糸通し穴１２が設置され、前記回転フレーム４０は前記第一回転軸２７の外表面に固定的に設置され、前記回転フレーム４０の内部には前記第一回転軸２７の左右両側に位置しかつ上下に貫通する電池倉４６が左右対称に設置され、前記電池３０は前記電池倉４６の中にスライドできるように設置され、前記回転空間２５の底壁の中にはラチェット空間６２が設置され、前記第一回転軸２７の底部末端は前記ラチェット空間６２の中に差し込まれ、且つ前記第一回転軸２７の底部末端には回転盤６１が固定的に設置され、前記回転盤６１の底壁の中には下方に開口したラチェット歯止め溝４１が形成され、前記ラチェット空間６２の底壁の中には前記回転ブロック２３と固定的に連結される第二回転軸５３が回転できるように設置され、前記第二回転軸５３の中には上下に貫通する第二糸通し穴６５が設置され、前記第二回転軸５３の頂部末端は前記ラチェット歯止め溝４１の中に差し込まれ、且つ前記第二回転軸５３の頂部末端には前記ラチェット歯止め溝４１の中設置されるラチェット歯止めと作動し合うラチェット５１が固定的に設置されている。
【００１７】
有益なように、前記充電装置９７は前記第一スライド穴２１の底壁の中に形成されて下方に開口した挿入溝１９を含み、前記挿入溝１９の頂壁の中には前記挿入溝１９の頂壁を貫通する電気接続ロッド１７が設置され、前記電気接続ロッド１７と前記挿入溝１９の壁体とは電力を遮断し、前記第一スライド穴２１の円周壁の中には環状溝２０が形成され、前記環状溝２０の中には前記挿入溝１９と固定的に連結された電気接続リング１４がスライドできるように設置され、前記電気接続リング１４は前記挿入溝１９の内壁と通電できるように連結され、前記電気接続リング１４と前記環状溝２０の底壁との間には復帰ばね２２が弾性を持つように設置されている。
【００１８】
有益なように、前記発光源装置９８は前記照明空間３７の底壁の中に設置される環状電気接続ブロック４４を含み、前記環状電気接続ブロック４４は前記照明ライト３５の正極と通電できるように連結され、前記環状電気接続ブロック４４と前記第一接点５８とは第一導線１１によって通電できるように連結され、前記回転空間２５の頂壁の中には左右対称の第二接点２８が設置され、前記第二接点２８は前記照明ライト３５の負極と通電できるように連結され、前記第一接点５８と右側の前記第二接点２８とはそれぞれ前記電池３０の正極と負極と通電できるように連結され、それによって前記照明ライト３５の通電発光を実現し、前記第二接点２８と前記電気接続リング１４とは前記第一糸通し穴１２と前記第二糸通し穴６５とを貫通する第二導線１５によって通電できるように連結されている。
【００１９】
有益なように、前記電気接続装置９９は前記本体１０の底壁の中に形成されて下方に開口したＣ型溝５６を含み、前記Ｃ型溝５６の中にはＣ型ブロック５５がスライドできるように設置され、前記Ｃ型ブロック５５と前記Ｃ型溝５６の底壁との間には押圧ばね５４が弾性を持つように設置され、前記Ｃ型ブロック５５の中には第二ラック８９が左右対称的に設置され、前記Ｃ型溝５６と前記収納溝５７との間には第三スライド穴４７が連通するように設置され、前記第三スライド穴４７の中には第一ラック４８がスライドできるように設置され、前記第三スライド穴４７の左右端壁の中には前記Ｃ型溝５６に連通する歯車空間５０が対称的に設置され、前記歯車空間５０の中には前記第二ラック８９及び前記第一ラック４８と噛み合う歯車４９が回転できるように設置されている。
【００２０】
有益なように、前記回転空間２５の底壁の中には前記第二スライド穴２４と連通するスライド移動溝４３が形成され、前記スライド移動溝４３の中にはスライドロッド５９がスライドできるように設置され、前記スライドロッド５９と前記スライド移動溝４３の底壁との間には復帰装置６０が弾性を持つように設置されている。
【００２１】
有益なように、前記回転ブロック２３の底壁の中には上下に貫通する抜き穴１３が設置され、それによって前記電池３０の入れ替えに便利を与える。
【００２２】
本実施例に記載の固定連結方法はボルト固定や溶接などの方法を含むが、これに限定されるものではない。
【００２３】
装置全体の作動手順は下記の通りである。
【００２４】
１、本発明の設備は作動する時、前記第一接点５８と右側の前記第二接点２８とはそれぞれ前記電池３０の正極と負極と通電できるように連結され、この時、前記照明ライト３５は前記電池３０の正極と負極の両側に並列接続され、それによって前記照明ライト３５の通電発光を実現し、それと同時に前記挿入溝１９の内壁は前記電気接続リング１４と通電できるように連結され、前記電気接続リング１４は前記第二導線１５によって前記第二接点２８と通電できるように連結され、この時、前記挿入溝１９の内壁は前記電池３０の負極と通電できるように連結され、同時に前記電気接続ロッド１７は前記電池３０の正極と通電できるように連結され、この時、前記挿入溝１９の中に商用電源と通電できるように連結されるＤＣプラグを差し込み、前記ＤＣプラグの負極は前記挿入溝１９の内壁と通電できるように連結され、前記ＤＣプラグの正極は前記電気接続ロッド１７と通電できるように連結され、それによって前記電池３０を充電することを実現できる。
【００２５】
２、右側の前記電池３０は電力が足りない時、手動で電気接続台１６を下方に引き、前記電気接続台１６は下方に移動し、この時、前記スライドロッド５９は前記復帰装置６０の作用のもとで左方に移動し、それによって前記電池３０は落ちることを防止し、前記電気接続台１６は移動して前記第二スライド穴２４を出た時、前記回転ブロック２３を正方向に回転させ、前記回転ブロック２３は回転して前記第二回転軸５３を回転連動させ、それによって前記ラチェット５１を回転連動させ、それによって前記回転盤６１を回転連動させ、それによって前記第一回転軸２７を回転連動させ、それによって前記回転フレーム４０は半周に回転し、この時、左右二つの前記電池３０は互いに位置を交換し、同時に前記回転ブロック２３は回転する時に前記Ｃ型ブロック５５を押して上方に移動させ、それによって前記第一ラック４８を下方に移動連動させ、それによって前記第一接点５８は下方に前記収納溝５７の中に移動する。
【００２６】
３、この時、前記回転ブロック２３を逆方向に回転させることで前記第二回転軸５３を逆方向に回転させ、それによって前記ラチェット５１は逆方向に回転連動させ、この時、前記ラチェット５１は前記回転盤６１とラチェットによって嵌合され、前記ラチェット５１は前記回転盤６１を回転連動させることができなく、前記回転ブロック２３は回転復帰し、この時、前記Ｃ型ブロック５５は前記回転ブロック２３の当接を失って下方に移動し、それによって前記第一ラック４８を上方に移動連動させ、それによって前記第一接点５８は上方に移動して右側の前記電池３０の正極と通電できるように連結され、同時に前記電気接続台１６は前記復帰ばね２２の作用のもとで上方に移動して前記第二スライド穴２４の中に差し込まれ、前記電気接続ロッド１７の頂部は左側の前記電池３０の正極と通電できるように連結され、この時、本来左側に位置する前記電池３０は前記発光源装置９８に電力を提供し、本来右側に位置する前記電池３０は前記充電装置９７に直列接続されている。
【００２７】
４、本発明の設備は内部の前記電池３０を取り外す時、下方に前記電気接続台１６を下方に引き動かし、同時に前記回転ブロック２３を回転させ、前記回転ブロック２３は半周回転し、前記抜き穴１３を前記第二スライド穴２４と位置合わせ、この時、手動で前記スライドロッド５９を回して右方に移動させ、この時、左側の前記電池３０を取り外すことは便利になる。
【００２８】
上記の実施例は本発明の技術的構想と特徴を説明するだけであり、その目的は当業者に本発明内容を了解させてさらに実施させるのであり、本発明の保護範囲を制限することはできない。本発明の精神の実質に基づいて行われたすべての等価的な変化又は修飾は、本発明の保護範囲の中に含むべきである。
【要約】
【課題】本発明は内部電池を入れ替えることに便利な照明装置を開示した。
【解決手段】
本体及び前記本体の下方に設置される回転ブロックを含み、本発明の内部電池を入れ替えることに便利な照明装置は照明できると同時に、本体の内部の電池を充電することもでき、本設備の中には二つの電池を設置することで、充電電路を照明電路から分離し、電池は充電する過程に放電も同時に行うことによって電池を損害することを避け、設備は電力が足りない電池を電力がいっぱいある電池と入れ替えることに便利を与え、設備はすぐに電池を入れ替えられることを保証し、同時に設備は本体内部の電池を取り出せ、電池の入れ替えに便利であり、生産と普及にも便利を与える。
【選択図】図１【図１】
0006784882.tif 000002
【図２】
0006784882.tif 000003
【図３】
0006784882.tif 000004
【図４】
0006784882.tif 000005